(57)【要約】【課題】二次元コードを認識するだけで、その商品に関して、出荷者プロフィール、商品関連情報、及び栽培履歴情報を閲覧できる商品情報提供方法を提供すること。【解決手段】二次元コードには、情報資源の場所を特定するサーバーアドレスと、商品を出荷した出荷者コードと、商品を特定する商品コードと、商品が栽培された圃場番号コードとが書き込まれ、サーバーアドレスによって特定されたサーバー７０が、出荷者コードに対応する出荷者プロフィールデータを抽出する出荷者プロフィール抽出ステップ４１と、前記商品コードに対応する商品関連情報を抽出する商品関連情報抽出ステップ４２と、商品についての栽培履歴情報を抽出する栽培履歴情報抽出ステップ４３と、出荷者プロフィールデータ、商品関連情報、及び栽培履歴情報を、消費者端末８０で表示可能にする表示情報作成ステップ５０とを有することを特徴とする。【選択図】        図１
2018190059.tif 000002
【特許請求の範囲】
【請求項１】
商品ラベルに付与されている二次元コードを読み取ることで、前記商品ラベルが付された商品の商品情報を表示する商品情報提供方法であって、
前記二次元コードには、情報資源の場所を特定するサーバーアドレスと、前記商品を出荷した出荷者コードと、前記商品を特定する商品コードと、前記商品が栽培された圃場番号コードとが書き込まれ、
消費者端末によって、前記二次元コードの書込情報を認識し、認識した前記書込情報を送信することで、
前記サーバーアドレスによって特定されたサーバーが、
受信した前記書込情報の前記出荷者コードによって、プロフィールデータベースから、前記出荷者コードに対応する出荷者プロフィールデータを抽出する出荷者プロフィール抽出ステップと、
受信した前記書込情報の前記商品コードによって、商品関連情報データベースから、前記商品コードに対応する商品関連情報を抽出する商品関連情報抽出ステップと、
受信した前記書込情報の前記出荷者コード、前記商品コード、及び前記圃場番号コードによって、栽培履歴データベースから、前記商品についての栽培履歴情報を抽出する栽培履歴情報抽出ステップと、
前記出荷者プロフィール抽出ステップで抽出した前記出荷者プロフィールデータ、前記商品関連情報抽出ステップで抽出した前記商品関連情報、及び前記栽培履歴情報抽出ステップで抽出した前記栽培履歴情報を、前記消費者端末で表示可能にする表示情報作成ステップと
を有する
ことを特徴とする商品情報提供方法。
【請求項２】
前記サーバーが、
前記商品の出荷者、前記出荷者が出荷する商品名、前記商品の出荷開始予定日、前記商品の出荷完了予定日、及び前記商品についての作業、使用した農薬、使用した肥料の履歴を登録する栽培履歴登録ステップと、
現在日が、前記栽培履歴登録ステップで登録された前記出荷完了予定日より所定日数経過後であるか否かを判断する履歴情報公開終了判断ステップと、
前記履歴情報公開終了判断ステップで、前記現在日が前記出荷完了予定日より前記所定日数経過後であると判断した場合には履歴情報公開の終了処理を行う履歴情報公開終了処理ステップと
を有し、
前記履歴情報公開終了処理ステップで前記履歴情報公開の終了処理が行われた後には、前記栽培履歴情報抽出ステップでは、前記商品についての前記栽培履歴情報を抽出できない
ことを特徴とする請求項１に記載の商品情報提供方法。
【請求項３】
前記サーバーが、
前記栽培履歴登録ステップで登録された前記履歴をチェックする栽培履歴チェックステップと、
前記栽培履歴チェックステップで前記履歴が問題ないと判断した場合にラベル印刷を許可するラベル印刷許可ステップと
を有する
ことを特徴とする請求項２に記載の商品情報提供方法。
【請求項４】
前記サーバーが、
前記現在日が、前記栽培履歴登録ステップで登録された前記出荷開始予定日前であるか否かを判断する履歴情報公開判断ステップと、
前記履歴情報公開判断ステップで、前記現在日が前記出荷開始予定日後であると判断した場合には履歴情報の公開処理を行う履歴情報公開処理ステップと
を有し、
前記履歴情報公開処理ステップで前記履歴情報の公開処理が行われた後に、前記栽培履歴情報抽出ステップでは、前記商品についての前記栽培履歴情報を抽出できる
ことを特徴とする請求項２に記載の商品情報提供方法。
【発明の詳細な説明】
【技術分野】
【０００１】
本発明は、栽培履歴を管理するための商品情報提供方法に関する。
【背景技術】
【０００２】
各地域では、例えば直売所などの管理者が、栽培品目別に栽培指針を作成して配布している。出荷者はこの栽培指針を参考にして栽培を行い、栽培に用いた農薬などは手書きで管理者に提出している。
しかし、手書き情報では、不鮮明で記入間違いがあり、管理者の管理負担は大きく、トレーサビリティの導入が困難である。
特許文献１は、安全な農作物であることを農作物の販売責任者が容易に確認でき、そのことを消費者に示すことができる農作物の食品トレーサビリティシステムを提案している。
特許文献１では、生産者又は生産者組織のマスターデータと、農作物の肥培、防除に関する指針・計画情報データと、農作物を栽培する圃場の台帳データと、この圃場毎に栽培作物の施肥、防除、収穫の実績を記録した実績データと、認可された農薬の情報を記録蓄積した農薬データベースと、を含んで構成される品質管理データベースを備え、このデータベースを管理するサーバー装置には、生産者又は生産団体毎に栽培作物の育成を計画通りに進められているか否かに関する情報を要求に応じて表示する進行管理手段を備え、各生産者の各圃場での生産活動が、設定された計画に従って進行しているかどうかを、ネットワークを通じて容易に把握できるようにしている。
【先行技術文献】
【特許文献】
【０００３】
【特許文献１】特開２００５−３１８７５号公報
【発明の開示】
【発明が解決しようとする課題】
【０００４】
特許文献１によれば、農作物を購入した消費者は、その包装容器等に付された品質保証番号をキーにして品質管理データベースを検索することにより、購入した農作物の生産者、収穫場所、収穫日及び安全性に関する情報を得ることができる。
しかし、検索によって情報を得ることは消費者にとって手間である。
【０００５】
そこで本発明は、二次元コードを認識するだけで、その商品に関して、出荷者プロフィール、商品関連情報、及び栽培履歴情報を閲覧できる商品情報提供方法を提供することを目的とする。
【課題を解決するための手段】
【０００６】
請求項１記載の本発明の商品情報提供方法は、商品ラベルに付与されている二次元コードを読み取ることで、前記商品ラベルが付された商品の商品情報を表示する商品情報提供方法であって、前記二次元コードには、情報資源の場所を特定するサーバーアドレスと、前記商品を出荷した出荷者コードと、前記商品を特定する商品コードと、前記商品が栽培された圃場番号コードとが書き込まれ、消費者端末によって、前記二次元コードの書込情報を認識し、認識した前記書込情報を送信することで、前記サーバーアドレスによって特定されたサーバーが、受信した前記書込情報の前記出荷者コードによって、プロフィールデータベースから、前記出荷者コードに対応する出荷者プロフィールデータを抽出する出荷者プロフィール抽出ステップと、受信した前記書込情報の前記商品コードによって、商品関連情報データベースから、前記商品コードに対応する商品関連情報を抽出する商品関連情報抽出ステップと、受信した前記書込情報の前記出荷者コード、前記商品コード、及び前記圃場番号コードによって、栽培履歴データベースから、前記商品についての栽培履歴情報を抽出する栽培履歴情報抽出ステップと、前記出荷者プロフィール抽出ステップで抽出した前記出荷者プロフィールデータ、前記商品関連情報抽出ステップで抽出した前記商品関連情報、及び前記栽培履歴情報抽出ステップで抽出した前記栽培履歴情報を、前記消費者端末で表示可能にする表示情報作成ステップとを有することを特徴とする。
請求項２記載の本発明は、請求項１に記載の商品情報提供方法において、前記サーバーが、前記商品の出荷者、前記出荷者が出荷する商品名、前記商品の出荷開始予定日、前記商品の出荷完了予定日、及び前記商品についての作業、使用した農薬、使用した肥料の履歴を登録する栽培履歴登録ステップと、現在日が、前記栽培履歴登録ステップで登録された前記出荷完了予定日より所定日数経過後であるか否かを判断する履歴情報公開終了判断ステップと、前記履歴情報公開終了判断ステップで、前記現在日が前記出荷完了予定日より前記所定日数経過後であると判断した場合には履歴情報公開の終了処理を行う履歴情報公開終了処理ステップとを有し、前記履歴情報公開終了処理ステップで前記履歴情報公開の終了処理が行われた後には、前記栽培履歴情報抽出ステップでは、前記商品についての前記栽培履歴情報を抽出できないことを特徴とする。
請求項３記載の本発明は、請求項２に記載の商品情報提供方法において、前記サーバーが、前記栽培履歴登録ステップで登録された前記履歴をチェックする栽培履歴チェックステップと、前記栽培履歴チェックステップで前記履歴が問題ないと判断した場合にラベル印刷を許可するラベル印刷許可ステップとを有する
ことを特徴とする。
請求項４記載の本発明は、請求項２に記載の商品情報提供方法において、前記サーバーが、前記現在日が、前記栽培履歴登録ステップで登録された前記出荷開始予定日前であるか否かを判断する履歴情報公開判断ステップと、前記履歴情報公開判断ステップで、前記現在日が前記出荷開始予定日後であると判断した場合には履歴情報の公開処理を行う履歴情報公開処理ステップとを有し、前記履歴情報公開処理ステップで前記履歴情報の公開処理が行われた後に、前記栽培履歴情報抽出ステップでは、前記商品についての前記栽培履歴情報を抽出できることを特徴とする。
【発明の効果】
【０００７】
本発明によれば、消費者端末で、二次元コードを認識するだけで、その商品に関して、出荷者プロフィール、商品関連情報、及び栽培履歴情報を閲覧できる。
【図面の簡単な説明】
【０００８】
【図１】本発明の一実施例による商品情報提供方法の処理流れを示す概念図
【図２】本実施例による商品情報提供方法に用いる装置を機能実現手段で現したブロック図
【発明を実施するための形態】
【０００９】
本発明の第１の実施の形態による商品情報提供方法は、二次元コードには、情報資源の場所を特定するサーバーアドレスと、商品を出荷した出荷者コードと、商品を特定する商品コードと、商品が栽培された圃場番号コードとが書き込まれ、消費者端末によって、二次元コードの書込情報を認識し、認識した書込情報を送信することで、サーバーアドレスによって特定されたサーバーが、受信した書込情報の出荷者コードによって、プロフィールデータベースから、出荷者コードに対応する出荷者プロフィールデータを抽出する出荷者プロフィール抽出ステップと、受信した書込情報の商品コードによって、商品関連情報データベースから、商品コードに対応する商品関連情報を抽出する商品関連情報抽出ステップと、受信した書込情報の出荷者コード、商品コード、及び圃場番号コードによって、栽培履歴データベースから、商品についての栽培履歴情報を抽出する栽培履歴情報抽出ステップと、出荷者プロフィール抽出ステップで抽出した出荷者プロフィールデータ、商品関連情報抽出ステップで抽出した商品関連情報、及び栽培履歴情報抽出ステップで抽出した栽培履歴情報を、消費者端末で表示可能にする表示情報作成ステップとを有するものである。本実施の形態によれば、消費者端末で、二次元コードを認識するだけで、その商品に関して、出荷者プロフィール、商品関連情報、及び栽培履歴情報を閲覧できる。
【００１０】
本発明の第２の実施の形態は、第１の実施の形態による商品情報提供方法において、サーバーが、商品の出荷者、出荷者が出荷する商品名、商品の出荷開始予定日、商品の出荷完了予定日、及び商品についての作業、使用した農薬、使用した肥料の履歴を登録する栽培履歴登録ステップと、現在日が、栽培履歴登録ステップで登録された出荷完了予定日より所定日数経過後であるか否かを判断する履歴情報公開終了判断ステップと、履歴情報公開終了判断ステップで、現在日が出荷完了予定日より所定日数経過後であると判断した場合には履歴情報公開の終了処理を行う履歴情報公開終了処理ステップとを有し、履歴情報公開終了処理ステップで履歴情報公開の終了処理が行われた後には、栽培履歴情報抽出ステップでは、商品についての栽培履歴情報を抽出できないものである。本実施の形態によれば、栽培履歴情報については、出荷完了予定日より所定日数経過後に限ることで、同一の出荷者が同一の圃場で栽培する新たな商品について、過去の他の商品の栽培履歴情報を間違って表示することを防止できる。
【００１１】
本発明の第３の実施の形態は、第２の実施の形態による商品情報提供方法において、サーバーが、栽培履歴登録ステップで登録された履歴をチェックする栽培履歴チェックステップと、栽培履歴チェックステップで履歴が問題ないと判断した場合にラベル印刷を許可するラベル印刷許可ステップとを有するものである。本実施の形態によれば、栽培履歴に問題のない商品情報を安心して提供できる。
【００１２】
本発明の第４の実施の形態は、第２の実施の形態による商品情報提供方法において、サーバーが、現在日が、栽培履歴登録ステップで登録された出荷開始予定日前であるか否かを判断する履歴情報公開判断ステップと、履歴情報公開判断ステップで、現在日が出荷開始予定日後であると判断した場合には履歴情報の公開処理を行う履歴情報公開処理ステップとを有し、履歴情報公開処理ステップで履歴情報の公開処理が行われた後に、栽培履歴情報抽出ステップでは、商品についての栽培履歴情報を抽出できるものである。本実施の形態によれば、栽培履歴情報については、出荷開始予定日後に限ることで、同一の出荷者が同一の圃場で栽培した過去の商品についての栽培履歴情報と混同することを防止できる。
【実施例】
【００１３】
以下本発明の一実施例による商品情報提供方法について説明する。
図１は本実施例による商品情報提供方法の処理流れを示す概念図である。
本実施例による商品情報提供方法は、栽培履歴登録ステップ１０と、栽培履歴チェックステップ２０と、ラベル印刷ステップ３０と、表示情報抽出ステップ４０と、表示情報作成ステップ５０と、履歴情報公開ステップ６０とを有する。
【００１４】
栽培履歴データベース７１には、出荷者が入力した栽培履歴が登録され、栽培履歴には、管理者を特定する管理者コード、出荷者を特定する出荷者コード、商品を特定する商品コード、商品を栽培した圃場を特定する圃場番号コードが管理者によって付与され、出荷を許可する商品に関する栽培履歴には管理者によって「出荷承認」が入力される。
プロフィールデータベース７２には、出荷者によって入力されたプロフィール情報が登録されている。
商品関連情報データベース７３には、管理者によって入力された商品関連情報であり、例えば商品の料理方法や保存方法に関する情報が登録されている。
【００１５】
栽培履歴登録ステップ１０では、商品の出荷者、出荷者が出荷する商品名、商品の出荷開始予定日、商品の出荷完了予定日、及び商品についての作業、使用した農薬、使用した肥料の履歴を登録する。
栽培履歴は、出荷者が出荷商品について入力する。
【００１６】
栽培履歴チェックステップ２０では、栽培履歴登録ステップで登録された履歴をチェックする。特に使用した農薬については、希釈倍数使用量、散布液量、使用時期、その農薬の総使用回数、その農薬に含まれる成分の総使用回数が、農薬別に決められた使用基準に適合するか否かが判断される。
【００１７】
栽培履歴チェックステップ２０の結果、問題なしと判断され（ステップ２１  ＹＥＳ）、現在日が出荷開始予定日後であれば（ステップ６１  ＹＥＳ）、ラベル印刷許可の状態となる（ステップ３１）。
ラベル印刷ステップ３０は、ラベル印刷許可の状態であり（ステップ３１）、出荷者によってラベル印刷の指示がなされて行われる（ステップ３２）。
ラベル印刷許可ステップ３１では、栽培履歴チェックステップ２０で履歴が問題ないと判断した場合（ステップ２１  ＹＥＳ）にラベル印刷を許可するため、栽培履歴に問題のない商品情報を安心して提供できる。
ステップ３２において、ラベル印刷が指示されると、栽培履歴データベース７１から、管理者コードを抽出し（ステップ３３）、出荷者コードを抽出し（ステップ３４）、商品コードを抽出し（ステップ３５）、圃場番号コードを抽出する（ステップ３６）。
二次元コードは、サーバー７０の場所を特定するサーバーアドレスと、抽出した出荷者コード、商品コード、圃場番号コード、及び管理者コードとによって生成される（ステップ３７）。
ステップ３７で生成された二次元コードは、ラベルに印刷される（ステップ３８）。二次元コードには、情報資源の場所を特定するサーバーアドレスと、商品を出荷した出荷者コードと、商品を特定する商品コードと、商品が栽培された圃場番号コードとが書き込まれている。
【００１８】
消費者端末８０が、商品ラベル１に付与された二次元コードの書込情報を認識し（ステップ８１）、認識した書込情報を送信する（ステップ８２）ことで、サーバーアドレスによって特定されたサーバー７０が、表示情報抽出ステップ４０を行う。
【００１９】
表示情報抽出ステップ４０は、出荷者プロフィール抽出ステップ４１と、商品関連情報抽出ステップ４２と、栽培履歴情報抽出ステップ４３とを有する。
出荷者プロフィール抽出ステップ４１では、受信した書込情報の出荷者コードによって、プロフィールデータベース７２から、出荷者コードに対応する出荷者プロフィールデータを抽出する。
商品関連情報抽出ステップ４２では、受信した書込情報の商品コードによって、商品関連情報データベース７３から、商品コードに対応する商品関連情報を抽出する。
栽培履歴情報抽出ステップ４３では、受信した書込情報の出荷者コード、商品コード、及び圃場番号コードによって、栽培履歴データベース７１から、商品についての栽培履歴情報を抽出する。
【００２０】
表示情報作成ステップ５０では、出荷者プロフィール抽出ステップ４１で抽出した出荷者プロフィールデータ、商品関連情報抽出ステップ４２で抽出した商品関連情報、及び栽培履歴情報抽出ステップ４３で抽出した栽培履歴情報を、消費者端末８０で表示可能にする。
従って、消費者端末８０では、商品ラベルに付与されている二次元コードを読み取ることで、その商品に関して、出荷者プロフィール、商品関連情報、及び栽培履歴情報を閲覧できる（ステップ８３）。
【００２１】
履歴情報公開ステップ６０は、履歴情報公開判断ステップ６１と、履歴情報公開処理ステップ６２と、履歴情報公開終了判断ステップ６３と、履歴情報公開終了処理ステップ６４とを有する。
履歴情報公開判断ステップ６１では、現在日が、栽培履歴登録ステップ１０で登録された出荷開始予定日前であるか否かを判断する。
履歴情報公開処理ステップ６２では、履歴情報公開判断ステップ６１で、現在日が出荷開始予定日後であると判断した場合には履歴情報の公開処理を行う。
履歴情報公開終了判断ステップ６３では、現在日が、栽培履歴登録ステップ１０で登録された出荷完了予定日より所定日数経過後であるか否かを判断する。
履歴情報公開終了処理ステップ６４では、履歴情報公開終了判断ステップ６３で、現在日が出荷完了予定日より所定日数経過後であると判断した場合には履歴情報公開の終了処理を行う。
【００２２】
栽培履歴情報抽出ステップ４３では、履歴情報公開処理ステップ６２で履歴情報の公開処理が行われた後に、商品についての栽培履歴情報を抽出できる。
このように、栽培履歴情報については、出荷開始予定日後に限ることで、同一の出荷者が同一の圃場で栽培した過去の商品についての栽培履歴情報と混同することを防止できる。
栽培履歴情報抽出ステップ４３では、履歴情報公開終了処理ステップ６３で履歴情報公開の終了処理が行われた後には、商品についての栽培履歴情報を抽出できない。
このように、栽培履歴情報については、出荷完了予定日より所定日数経過後に限ることで、同一の出荷者が同一の圃場で栽培する新たな商品について、過去の他の商品の栽培履歴情報を間違って表示することを防止できる。
【００２３】
図２は本実施例による商品情報提供方法に用いる装置を機能実現手段で現したブロック図である。
本実施例による栽培履歴登録方法を実現するサーバー７０は、定期更新変更手段７０Ａ、農薬情報変換手段７０Ｂ、栽培履歴登録手段７０Ｃ、栽培履歴判定手段７０Ｄ、二次元コード生成手段７０Ｅ、表示情報抽出手段７０Ｆ、表示情報作成手段７０Ｇ、履歴情報公開手段７０Ｈ及びデータベース７１、７２、７３、７４を備えている。
サーバー７０は、例えばインターネットなどの通信網を介して、農薬情報データベース９１、管理者端末９２、出荷者端末９３、及び消費者端末８０と接続されている。
【００２４】
定期更新変更手段７０Ａは、外部のデータベースである農薬情報データベース９１から定期的にデータを入手し、追加、変更、失効された農薬データを農薬データベース７４に登録する。
農薬情報変換手段７０Ｂは、農薬情報データベース９１から入手したデータを変換する。
定期更新変更手段７０Ａで入手した追加、変更、失効された農薬データは、農薬情報変換手段７０Ｂによって変換されて農薬データベース７４に登録される。
農薬データベース７４は、農薬情報変換手段７０Ｂによって変換された農薬情報データベース９１からの農薬データを蓄積している。農薬データベース７４は、定期更新変更手段７０Ａによって定期的に更新され、変更や失効された農薬は、変更及び失効情報として追加している。
【００２５】
栽培履歴登録手段７０Ｃでは、商品の出荷者、出荷者が出荷する商品名、商品の出荷開始予定日、商品の出荷完了予定日、及び商品についての作業、使用した農薬、使用した肥料の履歴を登録する。
【００２６】
栽培履歴判定手段７０Ｄでは、栽培履歴登録手段７０Ｃで登録された履歴をチェックする。特に使用した農薬については、農薬データベース７４に登録された、希釈倍数使用量、散布液量、使用時期、その農薬の総使用回数、その農薬に含まれる成分の総使用回数に適合するか否かが判断される。
【００２７】
二次元コード生成手段７０Ｅでは、サーバー７０の場所を特定するサーバーアドレスと、抽出した出荷者コード、商品コード、圃場番号コード、及び管理者コードとによって生成される。
【００２８】
表示情報抽出手段７０Ｆでは、受信した書込情報の出荷者コードによって、プロフィールデータベース７２から、出荷者コードに対応する出荷者プロフィールデータを抽出し、受信した書込情報の商品コードによって、商品関連情報データベース７３から、商品コードに対応する商品関連情報を抽出し、受信した書込情報の出荷者コード、商品コード、及び圃場番号コードによって、栽培履歴データベース７１から、商品についての栽培履歴情報を抽出する。
【００２９】
表示情報作成手段７０Ｇでは、表示情報抽出手段７０Ｆで抽出した出荷者プロフィールデータ、商品関連情報、及び栽培履歴情報を、消費者端末８０で表示可能にする。
【００３０】
履歴情報公開手段７０Ｈでは、現在日が、登録された出荷開始予定日前であるか否かを判断して、現在日が出荷開始予定日後であると判断した場合には履歴情報の公開処理を行い、現在日が、登録された出荷完了予定日より所定日数経過後であるか否かを判断して、現在日が出荷完了予定日より所定日数経過後であると判断した場合には履歴情報公開の終了処理を行う。
【００３１】
消費者端末８０は、二次元コード認識手段８０Ａと、二次元コード送信手段８０Ｂと、商品情報表示手段８０Ｃとを備えている。
二次元コード認識手段８０Ａでは、商品ラベル１に付与された二次元コードの書込情報を認識する。
二次元コード送信手段８０Ｂでは、二次元コード認識手段８０Ａで認識した書込情報を送信する。
商品情報表示手段８０Ｃでは、表示情報作成手段７０Ｇで表示可能とした、出荷者プロフィールデータ、商品関連情報、及び栽培履歴情報を閲覧できる。
【産業上の利用可能性】
【００３２】
本発明の商品情報提供方法によれば、トレーサビリティシステムの優位性を高めることができる。
【符号の説明】
【００３３】
１  商品ラベル
１０  栽培履歴登録ステップ
２０  栽培履歴チェックステップ
３０  ラベル印刷ステップ
４０  表示情報抽出ステップ
４１  出荷者プロフィール抽出ステップ
４２  商品関連情報抽出ステップ
４３  栽培履歴情報抽出ステップ
５０  表示情報作成ステップ
６０  履歴情報公開ステップ
６１  履歴情報公開判断ステップ
６２  履歴情報公開処理ステップ
６３  履歴情報公開終了判断ステップ
６４  履歴情報公開終了処理ステップ
７０  サーバー
７０Ａ  定期更新変更手段
７０Ｂ  農薬情報変換手段
７０Ｃ  栽培履歴登録手段
７０Ｄ  栽培履歴判定手段
７０Ｅ  二次元コード生成手段
７０Ｆ  表示情報抽出手段
７０Ｇ  表示情報作成手段
７０Ｈ  履歴情報公開手段
７１  栽培履歴データベース
７２  プロフィールデータベース
７３  商品関連情報データベース
７４  農薬データベース
８０  消費者端末
８０Ａ  二次元コード認識手段
８０Ｂ  二次元コード送信手段
８０Ｃ  商品情報表示手段
９１  農薬情報データベース
９２  管理者端末
９３  出荷者端末
【図１】
2018190059.tif 000003
【図２】
2018190059.tif 000004